(57)【要約】      （修正有）【課題】ミラーアップの衝撃をフォーカシングスクリーンに伝わらせず、安定した保持を可能としたカメラのフォーカシングスクリーン保持機構を提供する。【解決手段】フォーカシングスクリーン４を観察位置に固定する位置と着脱位置との間を移動可能なフォーカシングスクリーン保持機構において、フォーカシングスクリーン４を保持するスクリーン保持部材１８と、回動するためのヒンジ軸２１と、メインミラー緩衝材１０３を保持するミラーアップ緩衝材保持部材１０２と、ミラーアップ緩衝材保持部材１０２の回動を規制する突き当て部材１０１を有し、ミラーアップ緩衝材保持部材１０２のヒンジ部１０２ａはスクリーン保持部材と同一のヒンジ軸２１により回動し、ミラーアップ緩衝材保持部材１０２と突き当て部材１０１のクリアランスＡよりも、ミラーアップ緩衝材保持部材１０２とスクリーン保持部材１８のクリアランスＢの方が大きい。【選択図】図２
2014145878.tif 000002
【特許請求の範囲】
【請求項１】
フォーカシングスクリーンをピント観察位置に固定状態とするセット位置と、フォーカシングスクリーンを交換着脱する着脱位置との間を移動可能なカメラのフォーカシングスクリーン保持機構において、
フォーカシングスクリーンを保持するスクリーン保持部材と、フォーカシングスクリーンのセット位置と着脱位置との間を回動するためのヒンジ軸とメインミラー緩衝材を保持するミラーアップ緩衝材保持部材とミラーアップ緩衝材保持部材の回動を規制する突き当て部材を有し、
ミラーアップ緩衝材保持部材は、回動可能なヒンジ部を有し、ヒンジ部はスクリーン保持部材のヒンジ部に係合する同一のヒンジ軸により回動し、
ミラーアップ緩衝材保持部材と突き当て部材のクリアランスよりも、ミラーアップ緩衝材保持部材とスクリーン保持部材のクリアランスの方が大きい事を特徴とするフォーカシングスクリーン保持構成。
【請求項２】
ミラーアップ緩衝材保持部材を受ける第二の緩衝部材とミラーアップ緩衝材保持部材の回転止め部を有し、フォーカシングスクリーンを観察位置に固定状態とする『セット位置』状態において、ミラーアップ緩衝材保持部材をカメラ下側方向へ向かってスクリーン保持部材に突き当てて付勢する事を特徴とする請求項１に記載のフォーカシングスクリーン保持構成。
【請求項３】
第二の緩衝部材は、硬度の高い材質の緩衝材部と硬度の低い材質の付勢部により構成されている事を特徴とする請求項１又は２に記載のフォーカシングスクリーン保持構成。
【発明の詳細な説明】
【技術分野】
【０００１】
本発明は、一眼レフカメラ、デジタル一眼レフ型カメラ等に関し、特にフォーカシングスクリーン及び、ミラーアップ時の緩衝材の保持構成に関する。
【背景技術】
【０００２】
一眼レフカメラ、一眼レフ型デジタルスチルカメラでは、使用するレンズや被写体の状態に応じてフォーカシングスクリーンを交換可能に構成したカメラが既に発売されている。
【０００３】
このようなカメラのフォーカシングスクリーン保持機構としては、例えば、特許文献１にて開示されたものがあり、バネが取り付けられ、回動可能な回転軸を有したスクリーン保持枠により、フォーカシングスクリーンを光軸方向の突き当て部に付勢し、フォーカシングスクリーンをピント観察位置に固定状態とする構成が取られている。
【０００４】
また、バックフォーカスの短い撮影レンズに対応したカメラにおいては、ミラーボックス内までレンズが入り込んでくる為、メインミラーと撮影レンズの干渉を防ぐ為に、メインミラー先端の長さを伸ばすことができず、ミラーアップ時の衝撃を吸収する為の緩衝材をスクリーン保持枠に取り付ける構成が取られている。
【先行技術文献】
【特許文献】
【０００５】
【特許文献１】特開２００９−３７１３１号公報
【発明の概要】
【発明が解決しようとする課題】
【０００６】
しかしながら、上述の特許文献に開示された従来技術では、次のような課題があった。
【０００７】
ミラーアップの衝撃をスクリーン保持枠に固定された緩衝材で受ける構成の為、スクリーン保持枠がミラーアップの衝撃により微小に回動し、フォーカシングスクリーンにも衝撃が伝わる為、削れてゴミが発生したり、ファインダーのピントと撮影系のピントの相互差が生じてしまう。
【０００８】
そこで、本発明の目的は、フォーカシングスクリーン交換可能なカメラで、且つ、バックフォーカスの短い撮影レンズに対応したカメラにおいても、ミラーアップの衝撃をフォーカシングスクリーンに伝達させず、フォーカシングスクリーンが削れてゴミが発生したり、ファインダーのピントと撮影系のピントの相互差が生じてしまうことのない、安定した保持を可能としたカメラのフォーカシングスクリーン保持機構を提供する事である。
【課題を解決するための手段】
【０００９】
本発明のフォーカシングスクリーン保持構成は、フォーカシングスクリーンをピント観察位置に固定状態とするセット位置と、フォーカシングスクリーンを交換着脱する着脱位置との間を移動可能なカメラのフォーカシングスクリーン保持機構において、
フォーカシングスクリーンを保持するスクリーン保持部材と、フォーカシングスクリーンのセット位置と着脱位置との間を回動するためのヒンジ軸とメインミラー緩衝材を保持するミラーアップ緩衝材保持部材とミラーアップ緩衝材保持部材の回動を規制する突き当て部材を有し、
ミラーアップ緩衝材保持部材は、回動可能なヒンジ部を有し、ヒンジ部はスクリーン保持部材のヒンジ部に係合する同一のヒンジ軸により回動し、
ミラーアップ緩衝材保持部材と突き当て部材のクリアランスよりも、ミラーアップ緩衝材保持部材とスクリーン保持部材のクリアランスの方が大きい事を特徴としている。
【発明の効果】
【００１０】
本発明によれば、ミラーアップの衝撃をフォーカシングスクリーンに伝達させず、安定した保持を可能としたカメラのフォーカシングスクリーン保持機構を提供する事ができる。
【図面の簡単な説明】
【００１１】
【図１】本発明の実施形態であるカメラの概要を示すカメラ側面断面図である。
【図２】（Ａ）フォーカシングスクリーンのセット位置における、側面詳細図  （Ｂ）フォーカシングスクリーンのセット位置における、正面詳細図
【図３】フォーカシングスクリーンの交換位置における側面詳細図
【図４】（Ａ）ミラーアップによりミラーアップ緩衝材ホルダが、スクリーンベースに突き当たった状態を示す側面詳細図  （Ｂ）ミラーアップによりミラーアップ緩衝材ホルダが、スクリーンベースに突き当たった状態を示す中央断面図
【発明を実施するための形態】
【００１２】
図１は、本願発明の実施形態であるカメラを示している。この図において、１はカメラ本体であり、以下、図１の左側をカメラ本体１の前側といい、右側をカメラ本体１の後側という。
【００１３】
２はカメラ本体１に固着されるミラーボックスである。３はミラーボックス２に対して回動自在なミラーユニットであり、１００はミラーボックス２に対して固着されているペンタホルダである。４はフォーカシングスクリーンであり、このフォーカシングスクリーン４は、光入射面にフレネルレンズ４ａ、光射出面にマット面４ｂを有する。
【００１４】
５はスーパーインポーズ用液晶で、ポリマーネットワーク液晶などで構成され、複数の焦点検出領域（ＡＦ検出領域）のセグメントパターンを有し、選択されたセグメント領域のみを不透過とすることで、情報を表示する。このスーパーインポーズ用液晶５はペンタホルダ１００に対して精度良く固定されている。ここでフォーカシングスクリーン４に結像された被写体像とセグメントパターンが重ねて表示され、接眼レンズ８ａ，８ｂを介して観察される。
【００１５】
７はペンタプリズムであり、８ａ，８ｂは接眼レンズである。なお、これらはファインダー系を構成している。
【００１６】
１０，１１はそれぞれ被写体の輝度を測定する為の測光センサーと測光レンズである。
【００１７】
１５は公知の焦点検出ユニットであり、１６はシャッター装置である。３３は撮像素子で、例えば撮像デバイスであるＣＭＯＳなどが用いられる。この撮像デバイスには、ＣＣＤ型、ＣＭＯＳ型およびＣＩＤ型など様々な形態があり、何れの形態の撮像デバイスを採用してもよい。１７はミラーボックス２の開口部に固着され、不図示の交換レンズを装着するマウントである。
【００１８】
１８はフォーカシングスクリーン４が着脱可能に装填されるスクリーン保持部材である。このスクリーン保持部材１８の後端部にはスクリーン保持部材ヒンジ部１８ａが設けられており、前端部には係止部１８ｂが形成されている。１０１はペンタホルダ１００の下部に固着され、フォーカシングスクリーン４の光軸方向の突き当て部となるスクリーンベース（請求の範囲にいう突き当て部材）である。スクリーンベース１０１にはスクリーン保持部材ヒンジ部１８ａを支持する軸２１が固着されている。これにより、スクリーン保持部材１８は、軸２１回りで、装着されたフォーカシングスクリーン４をファインダー光軸方向においてスーパーインポーズ用液晶５に近接させるセット位置（図２（Ａ）に示す位置）と、スーパーインポーズ用液晶５との間にフォーカシングスクリーン４を着脱する為のスペースを形成する着脱位置（図３に示す位置）との間で揺動が可能である。
【００１９】
なお、スクリーン保持部材１８の底面部にはバネ３０が係止されており、このバネ３０は、スクリーン保持部材１８に装着されたフォーカシングスクリーン４をスクリーンベース１０１に押圧する。１９は板バネにより作られ、セット位置に位置したスクリーン保持部材１８の係止部１８ｂに係合してスクリーン保持部材１８をセット位置に係止するとともに、フォーカシングスクリーン４をスクリーン保持部材１８を介して面内後ろ方向に押圧する係止兼押圧部材である。１０３はミラーユニット３が撮影光束を撮像素子３３の方向へ導くために撮影光束から退避した位置に保持される状態に移動する際に衝撃を吸収するミラーアップ緩衝材である。
【００２０】
１０２はミラーアップ緩衝材１０３を保持するミラーアップ緩衝材ホルダである。
【００２１】
図２（Ａ）、図２（Ｂ）はフォーカシングスクリーン４及び、ミラーアップ緩衝材１０３の保持機構について詳細に説明する為の、フォーカシングスクリーンセット位置における、側面詳細図とカメラ前側から見た正面詳細図であり、図３はフォーカシングスクリーン交換位置における側面詳細図である。
【００２２】
ミラーアップ緩衝材ホルダ１０２は、スクリーン保持部材１８のスクリーン保持部材ヒンジ部１８ａを支持する軸２１と同軸で支持されるミラーアップ緩衝材ホルダヒンジ部１０２ａと、回転止め部１０２ｂがスクリーン保持部材１８の前側の上面に突き当たることで支持されている。また、スクリーンベース１０１には、後述するミラーアップ緩衝材ホルダ１０２の回転止め部１０２ｂをスクリーン保持部材１８の方向へ付勢する付勢部１０４ｂとミラーアップ緩衝材ホルダ１０２がミラーアップの衝撃によりスクリーンベース１０１側へ回動した際に衝撃を吸収する緩衝材部１０４ａが貼り合わされた緩衝材ユニット１０４が固着されている。
【００２３】
このような構成にすることで、図３のように、板バネ１９によりスクリーン保持部材１８の係止部１８ｂを解除することにより、スクリーン保持部材１８とミラーアップ緩衝材ホルダ１０２が同一の軸２１を中心として、フォーカシングスクリーン交換位置まで回動することができる。
【００２４】
前述した付勢部１０４ｂは例えばウレタンフォーム等で形成され、付勢力を小さく設定している。緩衝材部１０４ａは例えばネオプレンゴム等で形成され、付勢部１０４ｂよりも硬度が硬く設定されている。これにより、ミラーアップ緩衝材ホルダ１０２をフォーカシングスクリーンセット位置において、ガタが発生しないように精度良く、且つスクリーン保持部材１８に強い力がかからないように付勢し、衝撃が加わった際には、ミラーアップ緩衝材ホルダ１０２が所定以上回転しない構成をとる事ができる。前述した機能を満たすことができれば、材質や構成については変更が可能である。
【００２５】
次に各部品のクリアランスの関係について説明する。
【００２６】
図４（Ａ）、（Ｂ）はミラーアップによりミラーアップ緩衝材１０３に衝撃がかかり、ミラーアップ緩衝材ホルダ１０２が紙面の時計回りに回動し、前述の緩衝材部１０４ａが所定以上圧縮され、ミラーアップ緩衝材ホルダ１０２がスクリーンベースに突き当たった状態を示す側面詳細図と、その中央断面図である。
【００２７】
ミラーアップ緩衝材ホルダ１０２とスクリーンベース１０１の距離Ａ（図２（Ａ））はミラーアップ緩衝材ホルダ１０２とスクリーン保持部材１８の距離Ｂ（図２（Ｂ））よりも小さい。
【００２８】
このことにより、ミラーアップ緩衝材ホルダ１０２がスクリーンベースに突き当たった状態において、図４（ｂ）のように、ミラーアップ緩衝材ホルダ１０２はスクリーン保持部材１８に接触することがなく、ミラーアップの衝撃をフォーカシングスクリーンに伝わらせない構成が可能となり、フォーカシングスクリーンが削れてゴミが発生したり、ファインダーのピントと撮影系のピントの相互差が生じてしまう事のない、安定した保持を可能としたカメラのフォーカシングスクリーン保持機構を提供する事ができる。なお、通常は緩衝材ユニット１０４の緩衝材部１０４ａがミラーアップの衝撃により、距離Ａよりも圧縮されない構成としておくことで、ミラーアップ緩衝材ホルダ１０２がスクリーンベース１０１と接触して不快な音が発生しない構成とする事が望ましいが、万が一、所定以上の衝撃力が加わった際にも、本構成により、スクリーン保持部材１８にはミラーアップの衝撃が加わらない構成となる。
【００２９】
以上、本発明の好ましい実施形態について説明したが、本発明はこれらの実施形態に限定されず、その要旨の範囲内で種々の変形及び変更が可能である。
【符号の説明】
【００３０】
１  カメラ本体
２  ミラーボックス
３  ミラーユニット
４  フォーカシングスクリーン
４ａ  フレネルレンズ
４ｂ  マット面
５  スーパーインポーズ用液晶
７  ペンタプリズム
８ａ，８ｂ  接眼レンズ
１０  測光センサー
１１  測光レンズ
１５  焦点検出ユニット
１６  シャッター装置
１７  マウント
１８  スクリーン保持部材
１８ａ  スクリーン保持部材ヒンジ部１８ａ
１８ｂ  引っかけ部
１９  係止兼押圧部材
２１  軸
３０  バネ
３３  撮像素子
１００  ペンタホルダ
１０１  スクリーンベース（突き当て部材）
１０２  ミラーアップ緩衝材ホルダ
１０２ａ  ミラーアップ緩衝材ホルダヒンジ部
１０２ｂ  回転止め部
１０３  ミラーアップ緩衝材
１０４  緩衝材ユニット
１０４ｂ  付勢部
１０４ａ  緩衝材部
【図１】
2014145878.tif 000003
【図２】
2014145878.tif 000004
【図３】
2014145878.tif 000005
【図４】
2014145878.tif 000006